(57)【特許請求の範囲】
【請求項１】
少なくとも一以上のヒータランプと、このヒータランプから放射される光を反射して加熱処理されるべき被加熱対象物に照射する反射部材とを備えてなる光加熱装置において、  近赤外線を主に透過すると共に波長４．５μｍ以上の遠赤外線を主に吸収する遠赤外線吸収部材が、光照射方向に対してヒータランプの前方側の位置に配置されており、
ヒータランプから放射される放射光および反射部材からの反射光が遠赤外線吸収部材を介して被加熱対象物に照射され、
前記遠赤外線吸収部材は、ヒータランプと対向して配置される、互いに略平行に扁平な面方向に伸びる２つの平板状の壁と周壁とを有し、当該２つの平板状の壁と周壁とによって当該遠赤外線吸収部材に内部空間が形成されており、
前記遠赤外線吸収部材の周壁には、冷却風を内部空間内に導入するための開口部が少なくとも１箇所形成されていると共に、光照射方向に対して後方側に位置される平板状の壁に、内部空間に導入された冷却風をヒータランプに供給するための複数の冷却風供給用開口が形成されていることを特徴とする光加熱装置。
【請求項２】
複数の冷却風供給用開口は、前記ヒータランプの配置位置に対応して形成されていることを特徴とする請求項１に記載の光加熱装置。
【発明の詳細な説明】
【技術分野】
【０００１】
本発明は、例えばペットボトル成形用の樹脂材料やフラットパネル用ガラス基板などの光透過性部材を加熱処理するために利用される光加熱装置に関するものである。
【背景技術】
【０００２】
現在、例えば炭酸飲料、果汁、ミネラルウォーター等の清涼飲料水の容器として、ポリエチレンテレフタレート樹脂（以下、「ＰＥＴ樹脂」という。）を加熱し、ブロー成形することにより得られるペットボトルが用いられている。
【０００３】
このようなＰＥＴ樹脂の加熱処理においては、加熱エネルギーの制御がしやすいという理由から、加熱源としてハロゲンランプが利用されており、例えば図８に示すように、中心軸Ｘ周りに回転されるＰＥＴ樹脂製のプリフォーム品Ｐに対して、複数本の棒状のハロゲンランプ７０をプリフォーム品Ｐの回転中心軸方向に互いに離間して並ぶよう配置し、ハロゲンランプ７０から放射される光を直接、あるいは当該ハロゲンランプ７０の光照射方向後方側に配置された反射板７１により反射して照射することにより、プリフォーム品Ｐの加熱処理を行う光加熱装置が提案されている（例えば特許文献１参照）。ここに、「プリフォーム品」とは、ブロー成形を行う前の原形の成形品のことである。この光加熱装置においては、ハロゲンランプの点灯時において、冷却風が反射板７１に形成された冷却風流通孔７２を介して供給されて、反射板７１および各ハロゲンランプ７０が冷却される。
【０００４】
このような光加熱装置により加熱処理を行うに際して、プリフォーム品Ｐの光照射領域における外面部分Ｐａと内面部分Ｐｂとの間に著しい温度差が生じていると、ブロー成形処理を行ったときに、得られる成形品に偏肉が発生するなどして所期の形状のものとすることができず、製品不良を起こす、という問題がある。
【０００５】
このような問題、すなわち光照射領域における外面部分Ｐａと内面部分Ｐｂとの温度差が生じる原因として、ハロゲンランプ７０から遠赤外線が放射されてプリフォーム品Ｐに照射されているためであると考えた。
すなわち、ＰＥＴ樹脂は遠赤外線の波長域の透過率が極めて低い特性を有することから、プリフォーム品Ｐの外面部分Ｐａにおいて遠赤外線が吸収されて、プリフォーム品Ｐの内面部分Ｐｂにまで届かない現象が発生する結果、厚み（肉厚）方向に対して外面部分Ｐａと内面部分Ｐｂとの間で大きな温度差が生じてしまうものと考えられる。
【０００６】
従って、遠赤外線がほとんど放射されず、例えば波長７５０ｎｍ〜２μｍの近赤外線が主に放射されるよう、例えばフィラメントのコイル径やコイル長、あるいは入力電力を規定したハロゲンランプによれば、ＰＥＴ樹脂は近赤外線の波長域の透過率が比較的高い特性を有することから、ハロゲンランプから放射される光が表面部分に吸収される割合が少なく、表面から裏面にわたり厚み方向に対して略均一に加熱できるので、プリフォーム品Ｐの光照射領域における外面部分Ｐａと内面部分Ｐｂとの間で温度差が生じることが防止されるものと考えられるが、実際には、このようなハロゲンランプを用いた場合であっても、ブロー成形して得られる成形品に、偏肉が発生して所期の形状を有するものとすることができず、製品不良を起こしてしまう、という問題が生じることが判明した。
【０００７】
以上のような問題は、ＰＥＴ樹脂に限らず、例えば液晶ガラス用の平板状の硼珪酸ガラスやアクリル板などにおいても、発生する。
【特許文献１】特開平１１−４２７０２号公報
【発明の開示】
【発明が解決しようとする課題】
【０００８】
本発明は、以上のような事情に基づいてなされたものであって、光透過性を有する被加熱対象物に対して照射される遠赤外線を低減し、被加熱対象物をその厚み方向に対して均一に加熱することのできる光加熱装置を提供することを目的とする。
【課題を解決するための手段】
【０００９】
本発明の光加熱装置は、少なくとも一以上のヒータランプと、このヒータランプから放射される光を反射して加熱処理されるべき被加熱対象物に照射する反射部材とを備えてなる光加熱装置において、
近赤外線を主に透過すると共に波長４．５μｍ以上の遠赤外線を主に吸収する遠赤外線吸収部材が、光照射方向に対してヒータランプの前方側の位置に配置されており、
ヒータランプから放射される放射光および反射部材からの反射光が遠赤外線吸収部材を介して被加熱対象物に照射され、
前記遠赤外線吸収部材は、ヒータランプと対向して配置される、互いに略平行に扁平な面方向に伸びる２つの平板状の壁と周壁とを有し、当該２つの平板状の壁と周壁とによって当該遠赤外線吸収部材に内部空間が形成されており、
前記遠赤外線吸収部材の周壁には、冷却風を内部空間内に導入するための開口部が少なくとも１箇所形成されていると共に、光照射方向に対して後方側に位置される平板状の壁に、内部空間に導入された冷却風をヒータランプに供給するための複数の冷却風供給用開口が形成されていることを特徴とする。
【００１０】
本発明の光加熱装置において、複数の冷却風供給用開口は、前記ヒータランプの配置位置に対応して形成されている構成とすることができる。
【発明の効果】
【００１２】
本発明の光加熱装置によれば、特定の光学特性を有する遠赤外線吸収部材が光照射方向に対してヒータランプの前方側の位置に設けられていると共に当該遠赤外線吸収部材がヒータランプの点灯時において冷却される構成とされていることにより、主に近赤外線を被加熱対象物に照射することができるので、被加熱対象物をその光照射領域における厚み方向に対して均一に加熱することができる。
【発明を実施するための最良の形態】
【００１３】
＜第１実施形態＞
本発明の第１実施形態に係る光加熱装置は、特定の光学特性を有する遠赤外線吸収部材が光照射方向に対してヒータランプの前方側の位置に配置されてなり、ヒータランプから放射される光が遠赤外線吸収部材を介して照射されると共に、ヒータランプおよび反射部材を冷却するための冷却風が利用されて遠赤外線吸収部材が冷却される構成のものである。
【００１４】
図１は、本発明の光加熱装置の一例における要部の構成の概略を示す説明用断面図である。
この光加熱装置においては、互いに等間隔毎に離間して並んだ位置において、各々平行に伸びるよう配置された多数本の棒状のヒータランプ１０と、当該ヒータランプ１０から放射される光を反射して被加熱対象物に照射する反射部材とを備えている。
隣り合うヒータランプ１０のランプ中心軸間の離間距離の大きさは、被加熱対象物に対して実質的に均一な分布で光を照射することができるという理由から、例えば２０〜３０ｍｍとされていることが好ましい。
【００１５】
各々のヒータランプ１０は、例えばフィラメントランプよりなり、両端にピンチシール部が形成された全体が略直管状の発光管を具え、この発光管内に、フィラメントが発光管の管軸方向に沿って伸びるよう配設されていると共に所要の不活性ガスおよびハロゲンガスが適宜の封入量で封入されており、フィラメントの両端部が、ピンチシール部の各々に気密に封着されて埋設された導電性箔を介して、ピンチシール部の端面より突出して伸びる外部リード棒に接続された構成とされている。
【００１６】
反射部材は、例えば金属製またはセラミック製の反射板１１よりなり、ヒータランプ１０の点灯時において、反射板１１および各ヒータランプ１０を冷却するための冷却風を流通させるための複数の冷却風流通孔１２が、例えば各々のヒータランプ１０に対向した位置に形成されている。
【００１７】
この光加熱装置においては、光照射方向に対してヒータランプ１０の前方側の位置に、近赤外線を主に透過すると共に波長４．５μｍ以上の遠赤外線を主に吸収する光学特性を有する、平板状の遠赤外線吸収部材２０が設けられている。
この遠赤外線吸収部材２０の光学特性について具体的に説明すると、例えば波長１．５μｍの近赤外線の透過率が８０％以上であり、波長４．５μｍの遠赤外線の透過率が４５％以下である。
【００１８】
遠赤外線吸収部材２０を構成する材料としては、例えば石英ガラス、硼珪酸ガラス、バイコール、パイレックス（登録商標）等の透明なガラス材料、アクリル樹脂やポリエチレンテレフタレート樹脂（ＰＥＴ樹脂）等の透明な樹脂材料などを用いることができる。
【００１９】
この遠赤外線吸収部材２０の厚みについては、上記の光学特性を満足するように設定され、例えば１〜２．５ｍｍであることが好ましいが、冷却風の圧力が高い場合には、その圧力に耐えうる強度を持たせるために、例えば６ｍｍ程度とされる場合もある。
具体的な数値例を示すと、例えば石英ガラスの場合には例えば１ｍｍ、パイレックス（登録商標）ガラスの場合には例えば２ｍｍ、バイコールの場合には例えば１．２ｍｍ、アクリル樹脂の場合には例えば２ｍｍ、ＰＥＴ樹脂の場合には例えば２．２ｍｍである。これらのうちで、例えば石英ガラスが用いられる場合には、その製法によって遠赤外線領域の光透過率が異なるが、上述したように、波長４．５μｍの光の透過率４５％以下となるよう厚みが設定されることが望ましい。
【００２０】
この遠赤外線吸収部材２０は、ヒータランプ１０の点灯時において冷却される。具体的には、例えば、ヒータランプ１０および反射板１１を冷却するために供給される冷却風が、遠赤外線吸収部材２０の表面に吹き付けられることにより、所定の温度以下例えば２５０℃以下に保たれるよう冷却される。
【００２１】
上記構成の光加熱装置においては、被加熱対象物である例えばペットボトルのプリフォーム品Ｐが、その長手方向に伸びる回転中心軸Ｘを中心に自転しながら、ヒータランプ１０と一定の離間距離を保った状態で搬送され、光加熱装置から照射される光によって加熱される。すなわち、ヒータランプ１０の各々が一斉に点灯されると、ヒータランプ１０から放射される光が、直接あるいは反射板１１により反射され、遠赤外線吸収部材２０を介してプリフォーム品Ｐに照射される。
一方、冷却風が反射板１１における冷却風流通孔１２を介して供給され、冷却風が各々のヒータランプ１０の発光管の壁面に沿って流過されることにより反射板１１およびヒータランプ１０が冷却され、その後、冷却風が遠赤外線吸収部材２０の表面に吹き付けられ、その表面に沿って周縁部に向かって流過されることにより遠赤外線吸収部材２０が冷却される。
【００２２】
而して、上記のように、ヒータランプ１０から放射された光が遠赤外線吸収部材２０を介して照射されると共に遠赤外線吸収部材２０がヒータランプ１０の点灯時において冷却風によって冷却される構成とされていることにより、上記構成の光加熱装置によれば、被加熱対象物をその厚み方向に対して均一に加熱することができる。
【００２３】
この理由は、次のように考えられる。すなわち、例えばハロゲンランプを加熱源とした光加熱装置においては、例えばフィラメントコイルの構成、具体的にはコイル径やコイル長、および入力電力を調整することにより近赤外線が高い強度で放射されるよう構成されている場合であっても、連続スペクトルの光が放射されることにより遠赤外線も放射されることとなる。
また、その遠赤外線がハロゲンランプの発光管を構成する石英ガラスによって吸収されることにより、ハロゲンランプを連続点灯した場合には、発光管が蓄熱し、例えば５００〜８００℃程度の高温になる。そして、高温となった石英ガラス製の発光管から、二次輻射として、４μｍ以上の波長の遠赤外線が放射されることが判明した。
【００２４】
然るに、ヒータランプ１０から放射される光が、波長４．５μｍ以上の遠赤外線を主に吸収する遠赤外線吸収部材２０を介して、被加熱対象物であるプリフォーム品Ｐに照射される構成とすることにより、プリフォーム品Ｐに対して照射される遠赤外線を低減させることができ、しかも、遠赤外線吸収部材２０がヒータランプ１０の点灯時において冷却されることにより、遠赤外線吸収部材２０が高温となることに伴う遠赤外線の二次輻射が生ずることを確実に防止することができると共に、例えば遠赤外線吸収部材が樹脂材料よりなるものである場合には、軟化して変形してしまうことを確実に防止することができる。
従って、主に近赤外線によりプリフォーム品Ｐを加熱処理することができるので、プリフォーム品Ｐを、その被光照射領域において厚み方向に対して均一に加熱することができ、ブロー成形後に得られる成形品は、偏肉が生ずることがなく、所期の形状を有するものとなる。
【００２５】
＜第２実施形態＞
本発明の第２実施形態に係る光加熱装置は、遠赤外線吸収部材それ自体に直接的に冷却体が供給されることにより遠赤外線吸収部材が冷却される構成のものである。
【００２６】
図２は、本発明の光加熱装置の他の例における要部の構成の概略を示す説明用断面図、図３は、図２に示す光加熱装置における遠赤外線吸収部材の構成を示す斜視図である。
この光加熱装置における遠赤外線吸収部材３０は、内部空間が遠赤外線吸収部材３０を冷却するための冷却風または冷却水などの冷却体が流通される冷却体導入用空間Ｃとされた全体が扁平な箱型形状であって、互いに略平行に扁平な面方向に伸びる２つの壁３１、３６が、均一な厚みを有する平板状のものとされており、扁平な面が光照射方向に対して垂直な方向に伸びるよう、ヒータランプ１０と対向して設けられている。
この遠赤外線吸収部材３０には、例えば互いに対向する２つの周壁３２、３７の各々に、冷却体を冷却体導入用空間Ｃに導入するための開口が形成されており、一方の開口に、冷却体を冷却体導入用空間Ｃに導入するための冷却体導入管３３が設けられていると共に、他方の開口に、冷却体導入用空間Ｃ内を流通された冷却体を排出するための冷却体排出管３８が設けられている。
【００２７】
この遠赤外線吸収部材３０は、上記光学特性すなわち近赤外線を主に透過すると共に波長４．５μｍ以上の遠赤外線を主に吸収するものとなるよう、扁平な面方向に伸びる各々の壁３１、３６の厚みｔ１、ｔ２が設定される。ここに、ヒータランプ側（光照射方向後方側）に位置される壁３１の厚みｔ１および被加熱対象物側（光照射方向前方側）に位置される壁３６の厚みｔ２は、それぞれ、同一の大きさであっても、互いに異なる大きさであってもよい。
一例を示すと、遠赤外線吸収部材３０が石英ガラスよりなる場合には、ヒータランプ側の壁３１の厚みｔ１が例えば１ｍｍ程度、被加熱対象物側の壁３６の厚みｔ２が例えば１〜１．５ｍｍ、全体の厚みＴが３〜４．５ｍｍとして構成することができる。
【００２８】
この光加熱装置においては、ヒータランプ１０の各々が一斉に点灯されると、ヒータランプ１０から放射される光が、直接あるいは反射板１１により反射され、遠赤外線吸収部材３０を介して被加熱対象物に照射される。
一方、反射板１１の冷却風流通孔１２を介して供給される冷却風が、各々のヒータランプ１０の発光管の壁面に沿って流過されることにより反射板１１および各ヒータランプ１０が冷却され、さらに、冷却風が遠赤外線吸収部材３０の表面に吹き付けられ、その表面に沿って周縁部に向かって流過されることにより遠赤外線吸収部材３０が冷却されると共に冷却体が遠赤外線吸収部材３０の冷却体導入用空間Ｃに導入され、当該冷却体導入用空間Ｃ内を流通されることにより遠赤外線吸収部材３０が冷却されて、所定の温度以下となる状態が維持される。
【００２９】
このような構成の光加熱装置によれば、上記第１実施形態に係る光加熱装置と同様に、ヒータランプ１０から放射された光が遠赤外線吸収部材３０を介して照射されると共に遠赤外線吸収部材３０がヒータランプ１０の点灯時において冷却される構成とされていることにより、主に近赤外線を被加熱対象物に照射することができるので、被加熱対象物をその光照射領域における厚み方向に対して均一に加熱することができる。
しかも、遠赤外線吸収部材３０それ自体に直接冷却体が供給されて遠赤外線吸収部材３０が冷却される構成とされていることにより、ヒータランプ１０の点灯時において遠赤外線吸収部材３０を効率的に冷却することができるので、遠赤外線吸収部材３０からの遠赤外線の二次輻射が生ずることを一層確実に防止することができ、上記のような効果を確実に得ることができる。
【００３０】
＜第３実施形態＞
本発明の第３実施形態に係る光加熱装置は、遠赤外線吸収部材それ自体に冷却風が供給されて遠赤外線吸収部材が冷却されると共に、当該冷却風が利用されてヒータランプおよび反射部材が冷却される構成のものである。
【００３１】
図４は、本発明の光加熱装置のさらに他の例における要部の構成の概略を示す説明用断面図、図５は、図４に示す光加熱装置における遠赤外線吸収部材の断面図である。
この光加熱装置は、遠赤外線吸収部材４０が以下に示すような特定の構成のものであり、反射板１５が冷却風流通孔の代わりに後述する遠赤外線吸収部材の冷却風供給用開口を介して供給される冷却風を外部に排出するための排気口１６が形成されてなるものであることの他は、第１実施形態に係る光加熱装置と同様の構成を有する。
【００３２】
この光加熱装置における遠赤外線吸収部材４０は、ヒータランプ１０からの光が照射される光照射面側（ヒータランプ側）の壁４１に、内部空間に導入された冷却風をヒータランプ１０および反射板１５に供給するための複数の冷却風供給用開口がヒータランプ１０の配置位置（配置パターン）に対応して形成されていることの他は、基本的な構成は、第２実施形態に係る光加熱装置における遠赤外線吸収部材３０と同様の構成、すなわち、内部空間が冷却風導入用空間Ｃとされた扁平な箱型形状であって、互いに略平行に扁平な面方向に伸びる２つの壁４１、４６が、均一な厚みを有する平板状のものとされている。そして、例えば互いに対向する２つの周壁４２、４７の各々に冷却風を冷却風導入用空間Ｃに導入するための開口が形成されており、各々の開口に冷却風導入管４３が設けられている。
【００３３】
冷却風供給用開口は、例えばヒータランプ１０の管軸方向に対して等間隔毎に離間すると共にヒータランプ１０の配列方向に対して等間隔毎に離間した位置に形成された、各々厚み方向に貫通して伸びる複数の冷却風供給用孔４５により構成されており、これにより、冷却風がヒータランプ１０の各々に対して実質的に均一に供給される状態とされている。ここに、冷却風供給用孔４５の数、冷却風供給用孔４５の開口径の大きさおよび冷却風供給用孔４５の形成位置は、特に限定されるものではなく、目的に応じて適宜に変更することができる。
【００３４】
この遠赤外線吸収部材４０は、上記光学特性すなわち近赤外線を主に透過すると共に波長４．５μｍ以上の遠赤外線を主に吸収するものとなるよう、扁平な面方向に伸びる各々の壁４１、４６の厚みが設定される。ここに、ヒータランプ側に位置される壁４１の厚みおよび被加熱対象物側に位置される壁４６の厚みは、それぞれ、同一の大きさであっても、互いに異なる大きさであってもよい。
【００３５】
この光加熱装置においては、ヒータランプ１０の各々が一斉に点灯されると、ヒータランプ１０から放射される光が、直接あるいは反射板１５により反射され、遠赤外線吸収部材４０を介して被加熱対象物に照射される。
一方、冷却風が遠赤外線吸収部材４０の冷却風導入用空間Ｃに導入され、当該冷却風導入用空間Ｃ内を流通されることにより遠赤外線吸収部材４０が冷却されて所定の温度以下となる状態が維持されると共に、冷却風が冷却風供給用孔４５を介して各ヒータランプ１０および反射板１５に供給され、当該冷却風が各々のヒータランプ１０の発光管の壁面に沿って流過されると共に反射板１５に吹き付けられることにより各ヒータランプ１０および反射板１５が冷却される。
【００３６】
このような構成の光加熱装置によれば、上記第２実施形態に係る光加熱装置と同様に、ヒータランプ１０から放射された光が遠赤外線吸収部材４０を介して照射されると共に遠赤外線吸収部材４０がヒータランプ１０の点灯時において冷却される構成とされていることにより、主に近赤外線を被加熱対象物に照射することができるので、被加熱対象物をその光照射領域における厚み方向に対して均一に加熱することができ、しかも、遠赤外線吸収部材４０それ自体に直接冷却体が供給されて冷却される構成とされていることにより、ヒータランプ１０の点灯時において遠赤外線吸収部材４０を効率的に冷却することができるので、遠赤外線吸収部材４０からの遠赤外線の二次輻射が生ずることを一層確実に防止することができる。
【００３７】
この第３の実施形態に係る光加熱装置においては、図６に示すように、遠赤外線吸収部材５０における冷却風供給用開口が、ヒータランプ１０の管軸方向に対して例えば等間隔毎に離間した位置において、各々のヒータランプ１０の配列方向に伸びるよう形成された複数のスリット５１により構成されていてもよく、このような構成のものであっても、実質的に同様の効果を得ることができる。
【００３８】
以上、本発明の実施形態について説明したが、本発明は上記の実施形態に限定されるものではなく、種々の変更を加えることができる。
例えば、本発明の光加熱装置の用途は、例えばペットボトル成形用のプリフォーム品（ＰＥＴ樹脂）の加熱処理に限定されるものではなく、例えば液晶ガラス用の平板状の硼珪酸ガラスやアクリル板などの加熱処理を行う場合にも適用することができる。
また、ヒータランプの数および隣接するヒータランプ間の離間距離などの構成は、目的に応じて適宜に変更することができる。例えばヒータランプの数は一であってもよい。
さらに、以上においては、光照射方向に対してヒータランプの後方側に反射板が配置された構成のものについて説明したが、反射板を用いずに、例えば光照射方向の後方側に位置される発光管の外表面に直接的に金属やセラミックなどの反射コート膜（白半面コート）を形成することにより、ヒータランプから放射される光を照射する構成とされていてもよく、さらに、反射コート膜を形成したヒータランプと反射板とが組み合わせられた構成とされていてもよい。
【００３９】
また、本発明の第２実施形態に係る光加熱装置においては、例えば図７に示すように、遠赤外線吸収部材６０が、冷却体導入用空間Ｃを構成するヒータランプ側に位置される壁６１により区画されて当該冷却風導入用空間Ｃと並んだ状態で形成された、いわば断熱層としての機能を有する空間Ｓを備えてなる、全体が扁平な箱型形状の構成のものを用いることができる。図７において、６５は、冷却体を冷却風導入用空間Ｃに導入するための冷却体導入管、６６は、冷却体導入用空間Ｃ内を流通した冷却体を排出するための冷却体排出管である。
当該空間Ｓを形成する扁平な面方向に伸びる壁６２は、冷却体導入用空間Ｃを構成する、扁平な面方向に伸びる壁６１、６３と互いに略平行に伸びる、均一な厚みを有する平板状のものとされている。
このような構成の遠赤外線吸収部材６０を備えてなる光加熱装置によれば、図２に示す光加熱装置と実用上同様の効果を得ることができ、しかも、光照射方向に対して冷却体導入用空間Ｃの後方側に形成された空間Ｓの作用により、遠赤外線吸収部材６０を一層高い効率で冷却することができ、遠赤外線吸収部材６０からの遠赤外線の二次輻射が生ずることを一層確実に防止することができる。すなわち、ヒータランプ１０から放射される遠赤外線が吸収されることによって高温となる部分が空間Ｓを形成する壁６２であるので、被加熱対象物側に位置される壁６３は、冷却体によって所定の温度以下となる状態に維持することが容易となり、また、空間Ｓを形成する壁６２が高温となって遠赤外線が放射された場合であっても、当該遠赤外線を冷却体導入用空間Ｃを形成する壁６１、６３によって吸収することができる。
【図面の簡単な説明】
【００４０】
【図１】本発明の光加熱装置の一例における要部の構成の概略を示す説明用断面図である。
【図２】本発明の光加熱装置の他の例における要部の構成の概略を示す説明用断面図である。
【図３】図２に示す光加熱装置における遠赤外線吸収部材の一構成例を示す斜視図である。
【図４】本発明の光加熱装置のさらに他の例における要部の構成の概略を示す説明用断面図である。
【図５】図４に示す光加熱装置における遠赤外線吸収部材の一構成例を示す断面図である。
【図６】第３実施形態に係る光加熱装置における遠赤外線吸収部材の他の構成例を示す断面図である。
【図７】本発明の光加熱装置のさらに他の例における要部の構成の概略を示す説明用断面図である。
【図８】従来における光加熱装置の一例における要部の構成の概略を示す説明用断面図である。
【符号の説明】
【００４１】
１０  ヒータランプ
１１  反射板
１２  冷却風流通孔
１５  反射板
１６  排気口
２０  遠赤外線吸収部材
３０  遠赤外線吸収部材
３１、３６  壁
３２、３７  周壁
３３  冷却体導入管
３８  冷却体排出管
Ｃ  冷却体導入用空間
４０  遠赤外線吸収部材
４１、４６  壁
４２、４７  周壁
４３  冷却風導入管
４５  冷却風供給用孔
５０  遠赤外線吸収部材
５１  スリット
６０  遠赤外線吸収部材
６１、６２、６３  壁
６５  冷却体導入管
６６  冷却体排出管
Ｓ  空間
７０  ハロゲンランプ
７１  反射板
７２  冷却風流通孔
Ｐ  プリフォーム品
Ｐａ  外面部分
Ｐｂ  内面部分
【図１】
0004696736.tif 000002
【図２】
0004696736.tif 000003
【図３】
0004696736.tif 000004
【図４】
0004696736.tif 000005
【図５】
0004696736.tif 000006
【図６】
0004696736.tif 000007
【図７】
0004696736.tif 000008
【図８】
0004696736.tif 000009